(57)【要約】【課題】分離可能である情報を含むフォーマットの電子文書について、その印刷出力を行う際に、分離可能な情報を分けて別個に印刷出力することを可能にし、印刷出力後においてもその利便性が損なわれてしまうことのないようにする。【解決手段】複数種類の属性に分類可能なオブジェクトデータからなる画像データを取得するデータ取得手段２１と、前記画像データから印刷可能な形式の印刷データを得るとともに、当該印刷データを前記オブジェクトデータの属性種類別に得るデータ変換手段２２と、前記データ変換手段で得た前記属性種類別の印刷データを当該属性種類別に印刷出力するデータ出力手段２３とを備えて、画像出力装置２０を構成する。【選択図】図１
2006205602.tif 000002
【特許請求の範囲】
【請求項１】
複数種類の属性に分類可能なオブジェクトデータからなる画像データを取得するデータ取得手段と、
前記画像データから印刷可能な形式の印刷データを得るとともに、当該印刷データを前記オブジェクトデータの属性種類別に得るデータ変換手段と、
前記データ変換手段で得た前記属性種類別の印刷データを当該属性種類別に印刷出力するデータ出力手段と
を備えることを特徴とする画像出力装置。
【請求項２】
前記データ出力手段は、前記属性種類別の印刷データの少なくとも一種類を非透過用紙へ印刷出力し、他の種類を透過用紙へ印刷出力するものである
ことを特徴とする請求項１記載の画像出力装置。
【請求項３】
前記データ出力手段による前記印刷データの印刷出力を当該印刷データの属性種類別に行うか否かを選択するための出力選択手段
を備えることを特徴とする請求項１または２記載の画像出力装置。
【請求項４】
複数種類の属性に分類可能なオブジェクトデータからなる画像データを取得するデータ取得ステップと、
前記画像データから印刷可能な形式の印刷データを得るとともに、当該印刷データを前記オブジェクトデータの属性種類別に得るデータ変換ステップと、
前記データ変換手段で得た前記属性種類別の印刷データを当該属性種類別に印刷出力するデータステップと
を備えることを特徴とする画像出力方法。
【請求項５】
印刷データの印刷出力を行う画像出力装置に搭載され、または当該画像出力装置に接続して用いられるコンピュータを、
複数種類の属性に分類可能なオブジェクトデータからなる画像データを取得するデータ取得手段と、
前記画像データから印刷可能な形式の印刷データを得るとともに、当該印刷データを前記オブジェクトデータの属性種類別に得るデータ変換手段と、
前記データ変換手段で得た前記属性種類別の印刷データを当該属性種類別に印刷出力するデータ出力手段
として機能させることを特徴とする画像出力プログラム。
【発明の詳細な説明】
【技術分野】
【０００１】
本発明は、印刷データの印刷出力を行う画像出力装置、画像出力方法および画像出力プログラムに関するものである。
【背景技術】
【０００２】
近年、コンピュータ機器の普及に伴って電子化された文書（以下、単に「電子文書」という）が広く利用されているが、その電子文書においては、例えば注釈・付箋機能やアノテーション機能のように、文書の内容に重ねて情報を保持、表示することが可能なフォーマットがある。そして、電子文書を表示するビューワ（Viewer）では、その電子文書の表示時に注釈や付箋等を表示するか否かを切り換えたり、またその電子文書の印刷時に注釈や付箋等を印刷するか否かを選択したりすることに対応し得るようになっている（例えば、非特許文献１参照）。
【０００３】
【非特許文献１】Adobe Systems Incorporated  「ＰＤＦ Reference；Adobe Portable Document Format Version1.5」  Chapter8.4 Annotations
【発明の開示】
【発明が解決しようとする課題】
【０００４】
しかしながら、文書の内容とは別に注釈や付箋等の情報を合成表示することが可能なフォーマットの電子文書であっても、印刷出力を行った後は、その利便性が損なわれてしまうおそれがある。電子文書の状態では、注釈や付箋等の情報を文書の内容と分離することが可能であり、注釈や付箋等の表示の有無を適宜切り換えられるのに対し、印刷出力時は注釈や付箋等を合成して印刷するか否かのいずれか一方しか選択できないため、印刷出力後には、分離可能であった情報が１枚の用紙に印刷され分離不能となるか、あるいは分離可能であった情報が消滅してしまうこととなり、その分離可能であった情報の利用が大幅に制限されるからである。
【０００５】
そこで、本発明は、分離可能である情報を含むフォーマットの電子文書について、その印刷出力を行う際に、分離可能な情報を分けて別個に印刷出力することを可能にし、印刷出力後においてもその利便性が損なわれてしまうことのない画像出力装置、画像出力方法および画像出力プログラムを提供することを目的とする。
【課題を解決するための手段】
【０００６】
本発明は、上記目的を達成するために案出された画像出力装置で、複数種類の属性に分類可能なオブジェクトデータからなる画像データを取得するデータ取得手段と、前記画像データから印刷可能な形式の印刷データを得るとともに、当該印刷データを前記オブジェクトデータの属性種類別に得るデータ変換手段と、前記データ変換手段で得た前記属性種類別の印刷データを当該属性種類別に印刷出力するデータ出力手段とを備えることを特徴とする。
【０００７】
また、本発明は、上記目的を達成するために案出された画像出力方法で、複数種類の属性に分類可能なオブジェクトデータからなる画像データを取得するデータ取得ステップと、前記画像データから印刷可能な形式の印刷データを得るとともに、当該印刷データを前記オブジェクトデータの属性種類別に得るデータ変換ステップと、前記データ変換手段で得た前記属性種類別の印刷データを当該属性種類別に印刷出力するデータステップとを備えることを特徴とする。
【０００８】
また、本発明は、上記目的を達成するために案出された画像出力プログラムで、印刷データの印刷出力を行う画像出力装置に搭載され、または当該画像出力装置に接続して用いられるコンピュータを、複数種類の属性に分類可能なオブジェクトデータからなる画像データを取得するデータ取得手段と、前記画像データから印刷可能な形式の印刷データを得るとともに、当該印刷データを前記オブジェクトデータの属性種類別に得るデータ変換手段と、前記データ変換手段で得た前記属性種類別の印刷データを当該属性種類別に印刷出力するデータ出力手段として機能させることを特徴とする。
【０００９】
上記構成の画像出力装置、上記手順の画像出力方法および上記構成の画像出力プログラムでは、画像データを取得すると、その画像データから印刷可能な形式の印刷データを得るが、その印刷データを画像データにおけるオブジェクトデータの属性種類別に得るようになっている。ここで、「属性種類別」としては、例えば、画像データが複数レイヤーから構成されている場合にオブジェクトデータがどのレイヤーに属しているかの別、イメージやテキスト等といったオブジェクト種類の別、文字色等といったオブジェクトデータにおけるデータ内容の別が挙げられる。そして、オブジェクトデータの属性種類別に印刷データを得ると。その属性種類別の印刷データを、当該属性種類別に印刷出力するようになっている。したがって、属性種類別の印刷データが別個に印刷出力されることになるので、その印刷出力後においても、印刷結果を属性種類別に分離して利用でき、またいずれかの属性種類について印刷出力されないといったことも回避し得るようになる。
【発明の効果】
【００１０】
以上のように、本発明によれば、属性種類別の印刷データがその属性種類別に別個に印刷出力されるので、分離可能な情報を分けて別個に印刷出力することが可能となり、印刷出力後においても利便性が損なわれてしまうがない。また、一度の印刷出力操作に応じて属性種類別の印刷出力が行われるので、その属性種類別の印刷出力結果を得るために、設定を変えて何度も印刷出力処理を行うといった必要もなく、迅速な印刷出力が実現可能となる。
【発明を実施するための最良の形態】
【００１１】
以下、図面に基づき本発明に係る画像出力装置、画像出力方法および画像出力プログラムについて説明する。
【００１２】
先ず、本発明に係る画像出力装置について説明する。
図１は、本発明に係る画像出力装置を含むシステム構成の一具体例を示す説明図である。図例のシステムは、ホスト装置１０と、プリンタ装置２０と、これらの間を接続するネットワーク３０と、を備えて構成されている。
【００１３】
ホスト装置１０は、プリンタ装置２０に対して電子文書の印刷指示を行うもので、そのためにユーザインタフェース手段１１と印刷ジョブ発行手段１２とを備えている。なお、これらの各手段１１，１２は、ホスト装置１０上で動作するユーティリティソフトウエア（印刷指示ツール）によって実現すればよい。
【００１４】
ユーザインタフェース手段１１は、ユーザが、プリンタ装置２０にて印刷出力すべき電子文書の指定と、その電子文書をどのように印刷するか、例えば両面印刷の有無や印刷部数といった出力態様に関する指示を、それぞれ入力するためのものである。なお、ユーザインタフェース手段１１では、詳細を後述する属性種類別の印刷出力を行うか否かの選択指示も受け付けるようになっている。
【００１５】
印刷ジョブ発行手段１２は、ユーザインタフェース手段１１での電子文書の指定があると、その電子文書についての画像データを、その画像データの印刷出力依頼とともに、プリンタ装置２０へ送信するものである。すなわち、印刷ジョブ発行手段１２は、プリンタ装置２０への印刷ジョブの発行を行うものである。なお、印刷ジョブ発行手段１２が送信する画像データは、ホスト装置１０で生成されたもの、ホスト装置１０に記憶蓄積されていたもの、あるいはネットワーク３０を通じて外部装置から受け取ったもののいずれであってもよい。また、送信する画像データには、ユーザインタフェース手段１１で入力された出力態様に関する指示および属性種類別の印刷出力を行うか否かの選択指示が付加されるようになっている。
【００１６】
このようなホスト装置１０に対して、プリンタ装置２０は、そのホスト装置１０から発行された印刷ジョブの処理、すなわち当該印刷ジョブに係る電子文書の印刷出力を行うものであり、本発明における画像出力装置として機能するものである。さらに詳しくは、その印刷出力を行うために、データ取得手段２１と、データ変換手段２２と、データ出力手段２３と、用紙供給手段２４とを備えている。なお、これらの各手段２１〜２４は、プリンタ装置２０上で動作する制御ソフトウエア、すなわちプリンタ装置２０におけるハードウエア（プリンタエンジンや画像処理ＡＳＩＣ等）をどのように動作させるかを制御するプログラムを用いて実現すればよい。
【００１７】
データ取得手段２１は、ホスト装置１０の印刷ジョブ発行手段１２から送信されてくると、その画像データを取得して、これを印刷出力すべき画像データとするものである。
ここで、データ取得手段２１が取得する画像データについて簡単に説明する。データ取得手段２１が取得する画像データは、電子文書の内容を特定するものであり、複数種類の属性に分類可能なオブジェクトデータからなるものである。「オブジェクトデータ」とは、イメージ、テキスト、グラフィック等といったオブジェクト毎に分類できるデータをいう。また、オブジェクトデータの「属性」には、イメージやテキスト等といったオブジェクト種類の他に、そのオブジェクトの表示色等のデータ内容も含まれる。さらには、画像データが複数レイヤーから構成されている場合には、どのレイヤーに属するオブジェクトであるかについても、ここでいう「属性」に相当する。
【００１８】
データ変換手段２２は、データ取得手段２１が取得した画像データについて、これをデータ出力手段２３で印刷可能な形式の印刷データに変換するものである。具体的には、例えばＰＤＬ（Page Description Language）で記述された画像データを、ビットマップ形式の印刷データに変換する、といった処理を行う。ただし、データ変換手段２２では、画像データを印刷データへ変換するのにあたり、その印刷データを、画像データを構成するオブジェクトデータの属性種類別に得るようになっている。例えば、ある属性種類のオブジェクトデータと、他の属性種類のオブジェクトデータとは、同じ画像データにおける同一ページ部分に含まれていても、それぞれ別ページの印刷データとして展開する、といった具合である。
【００１９】
データ出力手段２３は、プリンタ装置２０におけるプリンタエンジン（ただし不図示）の動作を制御しつつ、データ変換手段２２で得た属性種類別の印刷データについて、これらを当該属性種類別に記録用紙上に印刷出力するものである。したがって、例えば、属性種類が二種類の場合には、その属性種類別に、それぞれが異なる記録用紙上に印刷出力されることになる。
【００２０】
用紙供給手段２４は、データ出力手段２３が動作を制御するプリンタエンジンへの記録用紙の供給（搬送）を行うものである。ただし、用紙供給手段２４では、複数種類の給紙トレイ、または給紙トレイに加えて手差しトレイを利用して、データ出力手段２３に対して複数種類の記録用紙の供給を行い得るようになっているものとする。なお、複数種類の記録用紙のうちの少なくとも一種類は普通紙等の非透過用紙であり、他の少なくとも一種類はＯＨＰ用紙用の透過用紙であることが望ましい。
【００２１】
次に、以上のように構成されたプリンタ装置２０を含むシステムにおける処理動作例、すなわち本発明に係る画像出力方法について説明する。図２は、本発明に係る画像出力方法の一具体例を示す説明図である。なお、ここでは、印刷出力すべき画像データが、電子文書の本文部分とその本文に付された付箋（アノテーション）部分とに分類可能なオブジェクトデータからなり、その本文部分および付箋部分といった属性種類別に印刷出力を行う場合を例に挙げる。
【００２２】
プリンタ装置２０を用いた印刷出力を行う場合には、先ず、ホスト装置１０において、ユーザが、印刷出力すべき電子文書の指定と、その出力態様に関する指示とを行う。また、これらの指示入力を行う際には、ユーザインタフェース手段１１がＧＵＩ（Graphical User Interface）画面に「付箋の分離印刷」のスイッチを表示して、そのスイッチをユーザに切り換えさせる。これにより、ユーザは、付箋の分離印刷を行うか否かを選択することができる。そして、電子文書の指定、出力態様に関する指示および分離印刷の選択指示があると、ホスト装置１０では、印刷ジョブ発行手段１２が、その電子文書についての画像データを、各種指示情報とともに、プリンタ装置２０へ送信する。このようにして、ホスト装置１０は、プリンタ装置２０への印刷出力ジョブ発行を行うのである。
【００２３】
ホスト装置１０から印刷出力ジョブが発行されると、プリンタ装置２０では、データ取得手段２１が、その印刷出力ジョブに係る画像データ、すなわち印刷出力すべき画像データを各種指示情報とともに取得する。そして、図２に示すように、データ変換手段２２が、プリンタ装置２０内におけるページメモリ等を利用しつつ、その画像データの記録用紙１ページ分について、印刷データへの変換処理を開始する（ステップ１０１、以下ステップを「Ｓ」と略す）。ただし、このとき、データ変換手段２２は、画像データとともに送信されてきた分離印刷の選択指示に関する情報に基づき、「付箋の分離印刷」についての指示が「ＯＮ」であるか否かを判断する（Ｓ１０２）。
【００２４】
この判断の結果、「付箋の分離印刷」が「ＯＦＦ」であれば、分離印刷を行う必要がないことから、データ変換手段２２は、印刷出力すべき画像データが本文部分と付箋部分とに分類可能なオブジェクトデータからなる場合であっても、これらの各属性種類のオブジェクトデータをいずれも同一ページに合成し重ねるようにして、印刷データへの変換を行う（Ｓ１０３，Ｓ１０４）。そして、記録用紙１ページ分について印刷データへの変換が終了したら、データ出力手段２３がプリンタエンジンを動作させてその印刷データの記録用紙上への印刷出力を行う（Ｓ１０５）。このとき、プリンタエンジンには、用紙供給手段２４によって非透過用紙が供給されるものとする。プリンタ装置２０では、このような一連の処理を、印刷出力すべき画像データの最終ページについて終了するまで繰り返して行う（Ｓ１０６）。
【００２５】
一方、「付箋の分離印刷」が「ＯＮ」である場合には、分離印刷を行う必要があることから、データ変換手段２２は、予め設定されている装置仕様情報等に基づいて、データ出力手段２３による記録用紙の出力先がフェイスダウントレイ（印刷面が下向きに排出されるため、文書のページ順に排紙することで、出力結果が元の文書と同様な順序で得られるもの）であるか否かを判断し（Ｓ１０７）、フェイスダウントレイであれば、先ず、印刷出力すべき画像データを構成するオブジェクトデータのうち、付箋部分のオブジェクトデータについてのみ、印刷データへの変換を行う（Ｓ１０８）。そして、記録用紙１ページ分について印刷データへの変換が終了したら、データ出力手段２３がその印刷データの記録用紙上への印刷出力を行う（Ｓ１０９）。このとき、データ出力手段２３が動作させるプリンタエンジンには、用紙供給手段２４によって透過用紙が供給されるものとする。
【００２６】
その後は、続けて、データ変換手段２２が、印刷出力すべき画像データを構成するオブジェクトデータのうち、本文箋部分のオブジェクトデータについてのみ、印刷データへの変換を行う（Ｓ１１０）。そして、記録用紙１ページ分について印刷データへの変換が終了したら、データ出力手段２３がその印刷データの記録用紙上への印刷出力を行う（Ｓ１１１）。このとき、データ出力手段２３が動作させるプリンタエンジンには、用紙供給手段２４によって非透過用紙が供給されるものとする。
【００２７】
また、データ出力手段２３による記録用紙の出力先がフェイスダウントレイでなければ、データ変換手段２２は、先ず、印刷出力すべき画像データを構成するオブジェクトデータのうち、本文箋部分のオブジェクトデータについてのみ、印刷データへの変換を行う（Ｓ１１２）。そして、記録用紙１ページ分について印刷データへの変換が終了したら、データ出力手段２３がその印刷データの記録用紙上への印刷出力を行う（Ｓ１１３）。このとき、データ出力手段２３が動作させるプリンタエンジンには、用紙供給手段２４によって非透過用紙が供給されるものとする。
【００２８】
その後は、続けて、データ変換手段２２が、印刷出力すべき画像データを構成するオブジェクトデータのうち、付箋部分のオブジェクトデータについてのみ、印刷データへの変換を行う（Ｓ１１４）。そして、記録用紙１ページ分について印刷データへの変換が終了したら、データ出力手段２３がその印刷データの記録用紙上への印刷出力を行う（Ｓ１１５）。このとき、データ出力手段２３が動作させるプリンタエンジンには、用紙供給手段２４によって透過用紙が供給されるものとする。
【００２９】
プリンタ装置２０では、記録用紙の出力先がフェイスダウントレイである場合、フェイスダウントレイでない場合のいずれについても、上述したような一連の処理を、印刷出力すべき画像データの最終ページについて終了するまで繰り返して行うのである（Ｓ１０６）。
【００３０】
以上のように、本実施形態で説明したプリンタ装置２０およびそのプリンタ装置２０を用いて実行される画像出力方法によれば、ホスト装置１０から送信された画像データを受け取ると、その画像データを印刷可能な形式の印刷データに変換して記録用紙上へ印刷出力するが、その際にオブジェクトデータの属性種類別に印刷データを得るとともに、その属性種類別に印刷出力を行うので、例えば付箋部分と本文部分といった属性種類別の印刷データがそれぞれ別個に印刷出力されることになる。したがって、属性種類別に分離可能な情報をその属性種類別に別個に分離印刷することが可能となり、印刷出力後においても、印刷結果を属性種類別に分離して利用したり、またいずれかの属性種類について印刷出力されないといったことも回避し得るようになり、その属性種類別に分離可能な情報に対する利便性が損なわれてしまうのを避けることができる。さらには、一度の印刷出力操作に応じて属性種類別の印刷出力が行われるので、その属性種類別の印刷出力結果を得るために、設定を変えて何度も印刷出力処理を行うといった必要もなく、迅速な印刷出力が実現可能となる。
【００３１】
具体的には、以下に述べるような利用形態が考えられる。
例えば申込書のようなユーザによる記述が必要となる文書については、記入例を別紙として用意するのではなく、付箋情報として電子文書本文に貼り付けておけば、電子文書上でユーザが記述すべき内容を入力する際に、付箋情報の表示・非表示の切り替えを行うことで、容易に記入例を閲覧しながら入力することが可能となる。ところが、電子文書上ではなく、印刷出力後の用紙上にてユーザに記述すべき内容の書き込みを行わせる場合には、従来技術を適用すると記入例の付箋情報を付加したものとユーザが書き込みを行う本文のみのものと２部印刷出力する必要がある。したがって、それぞれが別の用紙に出力されることになるため、記入例を見ながら書き込みを行うときに、ユーザが記入位置を間違えてしまうおそれがある。つまり、印刷出力後においては、電子文書時に享受可能であって利便性が損なわれてしまう。
ところが、本実施形態におけるプリンタ装置２０および画像出力方法によれば、電子文書における分離可能な情報をそれぞれ分離して印刷することを可能にしている。したがって、例えば記入例となる付箋情報を透過用紙に印刷出力し、また本文部分を非透過用紙に印刷出力すれば、印刷出力後においても、その印刷結果について電子情報のように合成または分離することが可能となる。すなわち、実際の記入する位置に重ね合わせて記入例を参照することが可能となり、実際に記入する位置とその部分への記入例の対応付けが容易になり、また参照位置の間違いも低減することができる。さらには、また、付箋情報を印刷する、しないの設定を変えて２度印刷出力処理を行うといった必要もないことから、迅速な印刷出力が実現可能となるのである。
【００３２】
このように、属性種類別に分離可能な情報をその属性種類別に別個に分離印刷する場合には、本実施形態で説明したように、属性種類別の印刷データの少なくとも一種類を非透過用紙へ印刷出力し、他の種類を透過用紙へ印刷出力することが望ましい。印刷出力後においても、非透過用紙への印刷出力結果と透過用紙への印刷出力結果とを重ね合わせることで、電子文書の場合と同様な合成・分離を行うことが実現可能となるからである。
ただし、本発明は、必ずしも非透過用紙と透過用紙とのそれぞれに対して分離印刷をする場合に限定されることはなく、非透過用紙のみを用いて分離印刷を行う場合、または透過用紙のみを用いて分離印刷を行う場合であっても、全く同様に適用することが可能である。
【００３３】
また、本実施形態で説明した「付箋の分離印刷」についての指示のように、属性種類別の分離印刷を行うか否かを、ユーザインタフェース手段１１から選択指示可能にした場合には、属性種類別の分離印刷を行うか、あるいは各属性種類について同一の用紙に一括して出力するかを、ユーザが選択することが可能となるとともに、プリンタ装置２０側ではそのいずれの場合にも適切に対応し得るようになるので、更なる利便性の向上が実現可能となる。
【００３４】
なお、本実施形態では、本発明の好適な実施具体例を説明したが、本発明はその内容に限定されるものではなく、その要旨を逸脱しない範囲で適宜変更することが可能である。
【００３５】
例えば、本実施形態では、属性種類別の分離印刷にあたり、付箋部分と本文部分とを分離する場合を例に挙げて説明したが、本発明はこれに限定されるものではなく、他の属性種類別、具体的には画像データが複数レイヤーから構成されている場合にオブジェクトデータがどのレイヤーに属しているかの別、イメージやテキスト等といったオブジェクト種類の別、文字色等といったオブジェクトデータにおけるデータ内容の別等についても、全く同様に適用することが可能である。また、分離印刷にあたっても分類数も、本実施形態で説明したような付箋部分と本文部分との二つに限定されることはなく、三つ以上であっても構わない。ただし、どのような属性種類別について分離を行うかは、分離印刷処理を行うのに先立って、予めその分離に関する設定（属性種類の分離基準）が設定されているか、あるいはユーザインタフェース手段１１から選択指示されているものとする。
【００３６】
また、例えば、本実施形態では、ホスト装置１０とプリンタ装置２０とがネットワーク３０を介して接続されているシステムに本発明が適用されている場合を例に挙げたが、他の画像出力装置、具体的には複写機や複合機等についても全く同様に適用することが考えられる。
【００３７】
さらに、本実施形態では、画像出力装置として機能するプリンタ装置２０が印刷出力を行うための各手段２１〜２４を備えることで、上述した分離印刷処理を実現する場合を例に挙げて説明したが、これらの各手段２１〜２４は、コンピュータとしての機能上で動作するソフトウエアによって構成したものであっても構わない。つまり、ホスト装置１０上で動作するプリンタドライバとして構成することも考えられる。また、その場合に、ソフトウエア構成はホスト装置１０内にインストールされているのではなく、コンピュータ読み取り可能な記憶媒体に格納されて提供されるものであっても、または有線若しくは無線による通信手段を介して配信されるものであってもよい。つまり、本実施形態で説明した画像出力装置は、コンピュータを画像出力装置として機能させる画像出力プログラムによっても実現することが可能である。
【図面の簡単な説明】
【００３８】
【図１】本発明に係る画像出力装置を含むシステム構成の一具体例を示す説明図である。
【図２】本発明に係る画像出力方法の一具体例を示す説明図である。
【符号の説明】
【００３９】
１０…ホスト装置、１１…ユーザインタフェース手段、１２…印刷ジョブ発行手段、２０…プリンタ装置、２１…データ取得手段、２２…データ変換手段、２３…データ出力手段、２４…用紙供給手段、３０…ネットワーク
【図１】
2006205602.tif 000003
【図２】
2006205602.tif 000004